(57)【要約】【課題】本発明は農業資材を固定する際に、農業資材に穴を開けることなく固定が可能としたものであり、幅広の農業資材であってもこれを溜めて押えることができる農業資材の新しい固定技術を提供する。【解決手段】土壌面を覆う農業資材を引っ掛けクランプにて土壌面に固定する固定方法であって、農業資材２０から離れて引っ掛けクランプＡの長尺の主柱部１を先端より土中に差し込み、この長尺の主柱部１の後端より横方向に伸びる横桟部２にて農業資材２０の縁部を挟み、当該横桟部２の先端より前記長尺の主柱部１と同じ方向に垂下し、その先端３ａを農業資材２０を突き破らない構造とした短尺の副柱部３とし、当該短尺の副柱部３にて農業資材２０を突き抜けることなく、農業資材２０と共に土中１０に差し込むこと農業資材２０の固定方法。【選択図】図２
2008188027.tif 000002
【特許請求の範囲】
【請求項１】
土壌面を覆う農業資材を引っ掛けクランプにて土壌面に固定する固定方法であって、農業資材から離れて引っ掛けクランプの長尺の主柱部を先端より土中に差し込み、この長尺の主柱部の後端より横方向に伸びる横桟部にて農業資材の縁部を挟み、当該横桟部の先端より前記長尺の主柱部と同じ方向に垂下し、その先端を農業資材を突き被らない構造とした短尺の副柱部とし、当該短尺の副柱部にて農業資材を突き抜けることなく、農業資材と共に土中に差し込むことを特徴とする土壌面に農業資材を固定する固定方法。
【発明の詳細な説明】
【技術分野】
【０００１】
本発明は、土壌面を覆う農業資材である織布或いは不織布等のべ夕掛けやトンネル資材の固定に関するものである。
【背景技術】
【０００２】
以下、本発明をべ夕掛け資材を例にとって説明すると、土壌を耕して種を撒いたり苗を植えたりする際、風雨からこれらを守るために、或いは土壌の温度の低温化を防ぎ、土壌からの水分の蒸発を阻止したり、雑草の生育を防ぐ目的で土壌の表面に織布或いは不織布等のいわゆるべ夕掛け資材を敷設することが行われている。かかるべ夕掛け資材はその裾部を固定する必要があり、一般にはべ夕掛け資材を突き破って土中に差し込む突き刺し部材が用いられている。この突き刺し部材の例を図７に示すが、逆Ｕ字形状をなす金属製の部材ＣやＴ字形状をなす樹脂製の部材Ｄがある。
【０００３】
これらはいずれも固定部材の先端にてべ夕掛け資材を突き破り、土中に差し込んで使用される。しかるに、べ夕掛け資材の固定はこの資材に開けられた穴とこれを突き破った主柱部との接触によるものであり、その固定力は弱く、強風等によってべ夕掛け資材が飛ばされたり、破れてしまうことになる。又、べ夕掛け資材の位置を調整する際には、通常は新たな穴がべ夕掛け資材に更に開けられることとなり、資材が弱いものとなるだけでなく、使わなくなった穴より害虫が侵入してしまうという欠点もあった。
【０００４】
このように、穴が開けられてしまったべ夕掛け資材再利用されても新たな問題が発生しやすく、比較的短期に廃棄されてしまうものであった。べ夕掛け資材以外の織布や不織布の農業資材の場合にも同様の突き刺し部材が用いられるものであり、これらも再利用されても、多くの穴が開けられてしまったものは強度的に弱く、害虫の侵入もあり、望ましいものとは言えなかった。
【発明の開示】
【発明が解決しようとする課題】
【０００５】
本発明は以上のような従来の農業資材を固定する部材の欠点に鑑みてなされたものであり、農業資材に穴を開けることなく固定が可能としたものであり、幅広の農業資材であってもこれを溜めて押えることができる農業資材の新しい固定技術を提供する。
【課題を解決するための手段】
【０００６】
本発明の要旨は、土壌面を覆う農業資材を引っ掛けクランプにて土壌面に固定する固定方法であって、農業資材から離れて引っ掛けクランプの長尺の主柱部を先端より土中に差し込み、この長尺の主柱部の後端より横方向に伸びる横桟部にて農業資材の縁部を挟み、当該横桟部の先端より前記長尺の主柱部と同じ方向に垂下し、その先端を農業資材を突き破らない構造とした短尺の副柱部とし、当該短尺の副柱部にて農業資材を突き抜けることなく、農業資材と共に土中に差し込むことを特徴とする土壌面に農業資材を固定する固定方法である。
【発明の効果】
【０００７】
本発明は以上の構成を有するものであり、農業資材に穴を開けることなくこれを押えて固定することができたものであり、幅広の農業資材であっても余分な部位をクランプの横桟部に集めることによって農業資材を有効に使用し、固定することができることとなったものである。
【発明を実施するための最良の形態】
【０００８】
最初に、本発明に用いられる引っ掛けクランプについて述べれば、土壌の表面を覆い、或いは野菜の表面を覆うために用いられる織布或いは不織布、更に樹脂フイルム等の農業資材の固定のために用いられる部材であって、農業資材に穴を開けることなく農業資材より離れて土中へ差し込む長尺の主柱部と、当該長尺の主柱部の頂部より横方向に伸びる横桟部と、この横桟部の先端より前記長尺の主柱部と同じ方向に垂下し農業資材を抑えつつ土中に刺さる短尺の副柱部と、からなる構造を持つものである。そして、長尺の主柱部と横桟部と短尺の副柱部とによって、辺の長さが異なる下向きのコ字状をなすものであり、金属製或いは樹脂製のいずれでも適用可能である。
【０００９】
本発明は、上記した構造の引っ掛けクランプを用いた農業資材の固定方法であって、引っ掛けクランプの長尺の主柱部を農業資材から離れて土中に差し込み、横方向に伸びる横桟部にて農業資材の余った縁部を包み、副柱部にて農業資材を突き抜けることなく、農業資材と共に土中に差し込む農業資材の固定方法である。
【００１０】
本発明にて用いられる引っ掛けクランプの短尺の副柱部の構造は種々考えられる。例えば、短尺の副柱部の先端を農業資材を突き破らないように、先端構造を環状部とし、平坦部とし、或いは横に広げた構造、この短尺の副柱部の先端を連結しこの連結部を広範囲の押え部とした構造、更には、一本の長尺の主柱部に対して複数の横桟部及び短尺の副柱部を備えること等も可能である。
【００１１】
又、用いられる引っ掛けクランプの長尺の主柱部について述べれば、農業資材に穴を開けることなく土中に差し込まれる部位である。かかる長尺の主柱部は農業資材を直接固定するためのものではなく、固定部材そのものはこの長尺の主柱部が土壌中に差し込まれて支持されることになる。このため、長尺の主柱部には土中からの抜け出しを防止するための機構が施されているのがよく、例えば、表面がストレートでないものが好ましく、ジグザグ状に或いは窪みや凸部を形成したものが望ましい。
【００１２】
更に、引っ掛けクランプの横桟部は、上記の長尺の主柱部の頂部より横方向に伸びる桟部であり、長尺の主柱部が土中に差し込まれた際には、常態として土壌の表面に露呈するものであり、農業資材の左右の余った部位をここに収容する構成である。尚、クランプが引き抜かれる際には、この横桟部をもって引き抜かれることとなる。このため、横桟部に引き抜きに供するための把手や段部等を備えてもよい。かかる横桟部も農業資材を押えやすくするため、ある程度の幅をもったり、ジグザグ状とするものもある。
【００１３】
前記したように、引っ掛けクランプの短尺の副柱部は、この横桟部の先端より、前記した長尺の主柱部と同じ方向に垂下し、土中に刺さる部位であり、農業資材をこの短尺の副柱部の先端で突き破らずに引っ掛けつつ土中に差し込むものである。即ち、かかる短尺の副柱部はその先端で農業資材に穴を開けることなく土中に引っ張り込んでこれを押え込むものである。この短尺の副柱部は全体として辺の長さが異なる下向きのコ字状をなしていることから、長尺の主持部が土中に差し込まれると一緒に土中にて農業資材を押えつつ差し込まれることとなる。尚、金属製の棒状タイプの引っ掛けクランプにあっては、短尺の副柱部の先端はこの棒状体が丸められて環状部とし、農業資材を突き破らないようにするのが好ましい。又、樹脂製のものにあっては、この短尺の副柱部の先端を雨滴状に丸く膨出させたものがその一例である。更に、これらの短尺の副柱部の先端に円弧状の或いは平らな面を持つキャップを飲め込んだものでもよいことは言うまでもない。
【実施例】
【００１４】
以下実施例をもって更に詳細に説明する。図１は本発明の農業資材の固定方法に用いられる引っ掛けクランプＡの斜視図であり、これは金属製の棒状体よりなっており、これを折り曲げて長尺の主柱部１と横桟部２と短尺の副柱部３とを構成している。これらの長さを任意に設定できるが、長尺の主柱部１は２５〜３５ｃｍ、横桟部２は４〜７ｃｍ、短尺の副柱部３は２〜５ｃｍである。尚、この例では、順に３０ｃｍ、５ｃｍ、３ｃｍであり、辺の長さが異なる下向きのコ字状の引っ掛けクランプＡとしたものである。
【００１５】
そして、長尺の主柱部２には土中に差し込まれる部位の一部をジグザグ状（１ａ）に折り曲げたものであり、これによって差し込まれた長尺の主柱部が土中より抜けてしまうのを防止し、かつ、長尺の主柱部が外力によって土中で回転してしまうのを阻止するものである。
【００１６】
短尺の副柱部３の先端（３ａ）によって農業資材が押えつけられることになるが、この農業資材に突き刺さらないようにその先端３ａは環状３ａａに曲げられている。
【００１７】
図２はこの引っ掛けクランプＡを用いた本発明の農業資材の固定方法を示す平面図であり、図３はその縦断面図である。図中、１０は土壌であり、２０はべ夕掛け資材を示す。即ち、畝１１上に紙面の表裏に向けて長尺のべ夕掛け資材２０を覆い、幅端を本発明の引っ掛けクランプＡにて固定したものである。引っ掛けクランプＡにあって、べ夕掛け資材２０の幅端（２０ａ）よりもやや外側に長尺の主柱部１を突き刺し、畝１１上のべ夕掛け資材２０にしわが寄らないように幅方向の左右端部よりやや内側（２０ｂ）に短尺の副柱部３を接触させ、この状態で更に長尺の主柱部１を土中に差し込むものである。短尺の副柱部３にあっては、べ夕掛け資材２０に接触しこれを引き込みつつ土中に差し込まれることになり、これによってべ夕掛け資材２０が完全に固定されることになる。しかも、長尺の主柱部１にはジグザグ部１ａが形成されていることから抜けがなく、かつ長尺の主柱部１が土中で回転することもないため、べ夕掛け資材２０の固定は完全である。尚、横桟部２は図示するように土壌の表面に露出する構成とされるものである。
【００１８】
ベタ掛け資材２０にあっては、余りの部分２０ｃが横桟部２に包まれた状態となり、べ夕掛け資材２０のどこにも穴が開けられずに固定することとなったものである。そして、べ夕掛け資材２０の横桟部２にて包まれた部位２０ｃは必要に応じて順次引き出すことができるため、特に植物の成長に応じて伸びが要求される資材にあっては好適な固定部材となったものである。
【００１９】
図４は本発明にて用いられる引っ掛けクランプの変形例１を示すもので、主として樹脂製の引っ掛けクランプＢに適用できるものであり、長尺の主柱部１には左右に窪み１ｂを左右に千鳥状に形成した例であり、更には、長尺の主柱部１の長手方向に太い部位１ｃａと細い部位１ｃｂとを交互に形成してなる例である。いずれも土中に差し込まれて、外力によって抜けが阻止されるものである。
【００２０】
図５は本発明にて用いられる引っ掛けクランプの変形例２を示すものであり、横桟部２はべ夕掛け資材２０の余りの部分２０ｃを包む部位ではあるが、引っ掛けクランプＡを引き抜く際にもこの部位を持って引き抜かれるため、引き抜きのために上方に湾曲２ａａしていたり、その一部が湾曲２ａｂしていたり、更には、環状部２ａｃを形成されていたりすることがある。
【００２１】
図５は本発明にて用いられる引っ掛けクランプの変形例３を示すものであり、短尺の副柱部３の先端３ａは農業資材を突き破らずにこれを押える必要があることから、上記の例の他、横又は縦方向に平坦状３ａｂに折り曲げられた場合も含まれるものである。又、前記の引っ掛けクランプを一対用い、その短尺の副柱部３の先端３ａを連続３ａｃし、この連続部３ａｃをもってべ夕掛け資材２０を押える構造としたものもある。更に、一本の長尺の主柱部に対し二つの横桟部及び短尺の副柱部を形成した例もある。これらは棒状体を折り曲げたり、溶接したりして製造することが可能である。更に又、例えば球状の（或いはきのこ状の）キャップ３ｂを先端３ａに飲め込んで短尺の副柱部３とすることも可能である。
【産業上の利用可能性】
【００２２】
本発明の農業資材の固定方法にあっては、引っ掛けクランプによって農業資材に穴を開けることなく固定でき、しかもその固定が確実であって、農業資材そのものも再利用が可能となったものである。従って、各種の農業資材を固定する部材として利用可能であって、芝等の植生等にも利用可能であり、その応用範囲は極めて広範である。
【図面の簡単な説明】
【００２３】
【図１】図１は本発明に用いられる引っ掛けクランプの斜視図である。
【図２】図２は図１の引っ掛けクランプを使用する本発明の農業資材の固定状態を示す平面図である。
【図３】図３は図２における縦断面図である。
【図４】図４は本発明似用いられる引っ掛けクランプの変形例１を示す図である。
【図５】図５は本発明似用いられる引っ掛けクランプの変形例２を示す図である。
【図６】図６は本発明似用いられる引っ掛けクランプの変形例３を示す図である。
【図７】図７は従来の固定部材の斜視図である。
【符号の説明】
【００２４】
Ａ、Ｂ‥引っ掛けクランプ、
１‥長尺の主柱部、
１ａ‥長尺の主柱部のジグザグ状部、
１ｂ‥長尺の主柱部の窪み、
１ｃａ、１ｃｂ‥長尺の主柱部の凹凸部、
２‥横桟部、
２ａａ、２ａｂ‥横桟部の湾曲部、
２ａｃ‥横桟部の環状部、
３‥短尺の副柱部、
３ａ‥短尺の副柱部の先端、
３ａａ‥短尺の副柱部の先端の環状部、
３ａｂ‥短尺の副柱部の先端の平坦部、
３ａｃ‥短尺の副柱部の先端の連続部、
３ｂ‥キャップ、
１０‥土壌、
１１‥畝、
２０‥塩ビ製のべ夕掛け資材、
２０ａ‥べ夕掛け資材の幅端部、
２０ｂ‥べ夕掛け資材の押え部、
２０ｃ‥べ夕掛け資材の幅端の余り部。
【図１】
2008188027.tif 000003
【図２】
2008188027.tif 000004
【図３】
2008188027.tif 000005
【図４】
2008188027.tif 000006
【図５】
2008188027.tif 000007
【図６】
2008188027.tif 000008
【図７】
2008188027.tif 000009